(57)【要約】      （修正有）【課題】民間航空機などのビークルの内部キャビンにおける表面を効率的に殺菌するためのシステム及び方法を提供する。【解決手段】紫外（ＵＶ）光ペーシングシステムは、ＵＶ光を出射するよう構成されたＵＶランプを備えたワンドアセンブリを含む。ユーザデバイス５０２は、ＵＶ光で消毒するアイテムをユーザが選択することを可能にするよう構成されている。ペーシング制御ユニット５１０は、ユーザデバイスと通信する。ペーシング制御ユニットは、ユーザデバイスにペーシング信号を出力するよう構成されている。ペーシング信号は、アイテムを消毒するためのワンドアセンブリの操作に関するペーシング情報を含む。【選択図】図２４
2022001251.tif 000002
【特許請求の範囲】
【請求項１】
紫外（ＵＶ）光を出射するよう構成されたＵＶランプを備えるワンドアセンブリと、
前記ＵＶ光で消毒するアイテムをユーザが選択できるよう構成されたユーザデバイスと、
前記ユーザデバイスと通信するペーシング制御ユニットと、を含み、前記ペーシング制御ユニットは、前記ユーザデバイスにペーシング信号を出力するよう構成されており、前記ペーシング信号は、前記アイテムを消毒するための前記ワンドアセンブリの操作に関するペーシング情報を含む、ＵＶ光ペーシングシステム。
【請求項２】
前記ペーシング情報は、前記アイテムを消毒するための前記ワンドアセンブリの操作についての指示を含み、前記指示は、前記ユーザデバイスのディスプレイに表示される、請求項１に記載のＵＶ光ペーシングシステム。
【請求項３】
前記ペーシング情報は、前記アイテムの消毒処理中、前記ワンドアセンブリの移動のペース配分を行うための１つ以上の音声キューを含み、前記１つ以上の音声キューは、前記ユーザデバイスのスピーカによって出力される、請求項１又は２に記載のＵＶ光ペーシングシステム。
【請求項４】
前記ユーザデバイスは、携帯型デバイスである、請求項１、２、又は３に記載のＵＶ光ペーシングシステム。
【請求項５】
前記ユーザデバイスは、前記ペーシング制御ユニットを含む、請求項１〜４のいずれか１つに記載のＵＶ光ペーシングシステム。
【請求項６】
前記アイテムに関するペーシングデータを保存するペーシングデータベースをさらに含み、前記ペーシング制御ユニットは、前記ペーシングデータベースと通信し、前記ペーシング制御ユニットは、前記ペーシングデータから前記ペーシング情報を特定するよう構成されている、請求項１〜５のいずれか１つに記載のＵＶ光ペーシングシステム。
【請求項７】
前記ユーザデバイスは、前記ペーシングデータベースを含む、請求項１〜６のいずれか１つに記載のＵＶ光ペーシングシステム。
【請求項８】
前記ユーザデバイスはディスプレイを含み、前記ペーシング制御ユニットは、前記ディスプレイにペーシングメニュー画面を表示するよう構成されている、請求項１〜７のいずれか１つに記載のＵＶ光ペーシングシステム。
【請求項９】
前記ペーシングメニュー画面は、１つ以上のトレーニングオプションを含む、請求項８に記載のＵＶ光ペーシングシステム。
【請求項１０】
前記ペーシング情報は、ワンド移動速度を含む、請求項１〜９のいずれか１つに記載のＵＶ光ペーシングシステム。
【発明の詳細な説明】
【技術分野】
【０００１】
本開示の実施形態は、概して、ビークル内の構造体及びエリアの殺菌に使用されるような殺菌システムに関し、より具体的には、そのようなシステムの移動のペース配分をするためのシステム及び方法に関する。
【０００２】
本出願は、２０２０年６月１１日に出願された「紫外線殺菌ペーシングシステム及び方法」と題する米国特許仮出願第６３／０３７，６３０号に関連しており、当該仮出願の優先権を主張するものである。
【背景技術】
【０００３】
民間航空機などのビークルは、様々な場所の間で乗客を輸送するために使用される。現在、例えば紫外（ＵＶ）光などを使用して、航空機内の表面を消毒又は殺菌するためのシステムが開発されている。公知のＵＶ光殺菌方法においては、構造体の表面を殺菌するために、当該構造体に対して広域スペクトルのＵＶＣ光を出射する。
【０００４】
さらに、既知のＵＶ光殺菌システムは、大型で嵩高なものが一般的であり、固定された据置型のインフラを必要とすることが多い。
【発明の概要】
【０００５】
ビークルの内部キャビンにおける表面を効率的に殺菌するためのシステム及び方法が必要とされている。また、内部キャビンにおける表面をＵＶ光で殺菌するための、移動式且つ小型で使い易く安全なシステム及び方法が必要とされている。
【０００６】
これらの必要性を念頭におき、本開示のいくつかの実施形態においては、紫外（ＵＶ）光ペーシングシステムが提供される。このシステムは、ＵＶ光を出射するよう構成されたＵＶランプを備えるワンドアセンブリを含む。ユーザデバイスは、ＵＶ光で消毒するアイテムをユーザが選択することを可能にするよう構成されている。ペーシング制御ユニットは、前記ユーザデバイスと通信する。前記ペーシング制御ユニットは、前記ユーザデバイスにペーシング信号を出力するよう構成されている。前記ペーシング信号は、前記アイテムを消毒するための前記ワンドアセンブリの操作に関するペーシング情報を含む。
【０００７】
少なくとも１つの実施形態において、前記ペーシング情報は、前記アイテムを消毒するために前記ワンドアセンブリを操作するための指示を含む。前記指示は、前記ユーザデバイスのディスプレイに表示される。
【０００８】
少なくとも１つの実施形態において、前記ペーシング情報は、前記アイテムの消毒処理中、前記ワンドアセンブリの移動のペース配分を行うための１つ以上の音声キューを含む。前記１つ以上の音声キューは、前記ユーザデバイスのスピーカによって出力される。
【０００９】
少なくとも１つの実施形態において、前記ユーザデバイスは、携帯型デバイスである。前記ユーザデバイスは、前記ペーシング制御ユニットを含みうる。
【００１０】
少なくとも１つの実施形態において、前記ＵＶ光ペーシングシステムはまた、前記アイテムに関するペーシングデータを保存するペーシングデータベースを含む。前記ペーシング制御ユニットは、前記ペーシングデータベースと通信する。前記ペーシング制御ユニットは、前記ペーシングデータから前記ペーシング情報を特定するよう構成されている。前記ユーザデバイスは、前記ペーシングデータベースを含みうる。
【００１１】
少なくとも１つの実施形態において、前記ユーザデバイスは、ディスプレイを含む。前記ペーシング制御ユニットは、前記ディスプレイにペーシングメニュー画面を表示するよう構成されている。前記ペーシングメニュー画面は、１つ以上のトレーニングオプションを含みうる。
【００１２】
少なくとも１つの実施形態において、前記ペーシング情報は、ワンド移動速度を含む。
【００１３】
前記アイテムの例には、乗客座席、内装設備、荷物棚アセンブリ、化粧室におけるコンポーネント、ギャレー内のコンポーネント、又はフライトデッキ内のコンポーネントなどが含まれる。
【００１４】
少なくとも１つの実施形態において、前記ＵＶランプは、２００ｎｍと２３０ｎｍとの間の波長を有するＵＶ光を出射するよう構成されている。例えば、前記ＵＶランプは、２２２ｎｍの波長を有するＵＶ光を出射するよう構成されている。
【００１５】
少なくとも１つの他の実施形態において、前記ＵＶランプは、２３０ｎｍ〜２８０ｎｍの波長を有するＵＶ光を出射するよう構成されている。例えば、前記ＵＶランプは、２５４ｎｍの波長を有するＵＶ光を出射するよう構成されている。
【００１６】
本開示のいくつかの実施形態においては、紫外（ＵＶ）光ペーシング方法が提供される。この方法は、紫外（ＵＶ）光を出射するためのＵＶランプを備えるワンドアセンブリを使用することと、ユーザデバイスによって、前記ＵＶ光で消毒するアイテムを選択することと、前記ユーザデバイスと通信するペーシング制御ユニットから、前記ユーザデバイスに対してペーシング信号を出力することと、を含む。前記ペーシング信号は、前記アイテムを消毒するための前記ワンドアセンブリの操作に関するペーシング情報を含む。
【００１７】
少なくとも１つの実施形態において、前記ペーシング情報は、前記アイテムを消毒するために前記ワンドアセンブリを操作するための指示を含む。前記方法は、前記ユーザデバイスのディスプレイに前記指示を表示することをさらに含む。
【００１８】
少なくとも１つの実施形態において、前記ペーシング情報は、前記アイテムの消毒処理中、前記ワンドアセンブリの移動のペース配分を行うための１つ以上の音声キューを含む。前記方法は、前記ユーザデバイスのスピーカによって前記１つ以上の音声キューを出力することをさらに含む。
【００１９】
少なくとも１つの実施形態において、前記ＵＶ光ペーシング方法は、ペーシングデータベースに、前記アイテムに関するペーシングデータを保存することと、前記ペーシング制御ユニットと前記ペーシングデータベースとを通信可能に接続することと、前記ペーシング制御ユニットによって、前記ペーシングデータから前記ペーシング情報を特定することと、をさらに含む。
【図面の簡単な説明】
【００２０】
【図１】本開示の一実施形態による、作業員によって装着された携帯型殺菌システムを示す斜視図である。
【図２】本開示の一実施形態による、ワンドアセンブリを示す斜視側方上面図である。
【図３】図２に示すワンドアセンブリを示す斜視背面図である。
【図４】図２に示すワンドアセンブリを示す斜視側面図である。
【図５】本開示の一実施形態による、コンパクトに展開した状態の携帯型殺菌システムを示す斜視図である。
【図６】本開示の一実施形態による、殺菌ヘッドが伸長した状態にある携帯型殺菌システムを示す斜視図である。
【図７】本開示の一実施形態による、殺菌ヘッドが伸長した状態にあって、且つハンドルもまた伸長した状態にある携帯型殺菌システムを示す斜視図である。
【図８】本開示の一実施形態による、殺菌ヘッドがハンドルに対して回転している状態の携帯型殺菌システムを示す斜視図である。
【図９】本開示の一実施形態による、殺菌ヘッドのＵＶランプ及びリフレクタを示す斜視端面図である。
【図１０】本開示の一実施形態による、殺菌ヘッドのＵＶランプ及びリフレクタを示す斜視端面図である。
【図１１】本開示の一実施形態による、殺菌ヘッドのＵＶランプ及びリフレクタを示す斜視端面図である。
【図１２】殺菌ヘッドを示す斜視上面図である。
【図１３】殺菌ヘッドを示す斜視底面図である。
【図１４】図１２の線１４−１４を通る、殺菌ヘッドを示す軸方向断面図である。
【図１５】本開示の一実施形態による、取付ブラケットに固定されたＵＶランプを示す斜視端面図である。
【図１６】本開示の一実施形態による、バックパックアセンブリを示す斜視分解図である。
【図１７】本開示の一実施形態による、バックパックアセンブリに接続されたハーネスを示す斜視正面図である。
【図１８】紫外光スペクトルを示す図である。
【図１９】本開示の一実施形態による、航空機を示す斜視正面図である。
【図２０Ａ】本開示の一実施形態による、航空機の内部キャビンを示す上面図である。
【図２０Ｂ】本開示の一実施形態による、航空機の内部キャビンを示す上面図である。
【図２１】本開示の一実施形態による、航空機の内部キャビンを示す斜視内観図である。
【図２２】航空機の内部キャビンにおける化粧室を示す斜視内観図である。
【図２３】本開示の一実施形態による、携帯型殺菌方法を示すフローチャートである。
【図２４】本開示の一実施形態による、ＵＶ光ペーシングシステムを示す概略ブロック図である。
【図２５】本開示の一実施形態による、ユーザデバイスを示す正面図である。
【図２６】本開示の一実施形態による、フライトデッキ内の制御装置に対するワンドアセンブリを示す斜視図である。
【図２７】本開示の一実施形態による、ペーシング情報のスプレッドシートを示す図である。
【図２８】本開示の一実施形態による、ＵＶペーシング方法を示すフローチャートである。
【発明を実施するための形態】
【００２１】
上述した発明の概要、及び以下の実施形態についての詳細な説明は、添付図面を参照することによって、より明確に理解されよう。本明細書において、単数形で記載されている要素又はステップは、複数の要素又はステップを必ずしも排除するものではない。また、「一実施形態」に言及することは、その実施形態に記載した特徴を取り入れた別の実施形態の存在を排除することを意図するものではない。さらに、特に明記されていない限り、特定の性質を有する１つの要素又は複数の要素を「備える」又は「有する」実施形態は、その性質を有さない別の要素を追加的に含んでもよい。
【００２２】
本開示のいくつかの実施形態においては、ビークルの内部キャビンなどにおける表面を消毒するための携帯型殺菌システムが提供される。携帯型殺菌システムは、ワンドアセンブリと、バックパックアセンブリとを含む。ワンドアセンブリは、ハウジングと、ＵＶランプと、リフレクタと、ハウジングにＵＶランプを固定するためのマウントと、ＵＶランプに空気を送り込むための吸気口と、ワンドアセンブリの到達距離を延ばすよう構成された伸縮式ハンドルと、を含む。バックパックアセンブリは、本体又はハウジングと、電源と、１つ以上のバッテリ（例えば充電池）と、バックパックを充電するためのプラグと、送風機と、カーボンフィルタと、排気口と、作業員が携帯型殺菌システムを装着できるようにするためのハーネスと、を含む。
【００２３】
ＵＶ殺菌システムの有効性は、対象とする病原体を殺滅するために必要な線量（例えば、ｍＪ／ｃｍ2で表される）で決定される。線量は、ＵＶ光の光学的パワー（ワット単位）及び露光時間の関数である。本開示のいくつかの実施形態においては、殺菌ＵＶ光に曝露する適切な時間を知らせるための目印（例えば、音声キュー）をユーザに提供するトレーニング・ペーシング音声システムが提供される。本開示の実施形態によれば、ユーザは、殺菌中にワンドアセンブリの移動のペース配分を行って、消毒に適した量のＵＶ光を出射することができる。本開示の実施形態は、必要な照射量、及び／又は殺菌対象の特定のアイテムに従って、ユーザをガイドすることができる。
【００２４】
本開示のいくつかの実施形態においては、所定表面のＵＶ消毒のペース配分を行う方法が提供される。上記方法は、ワンドの速度を計算して、当該速度をコンピュータプログラムにロードすることを含む。上記プログラムは、ワンドを移動させる速度についての音声キューを提供するとともに、ユーザが前記速度を維持できるようにフィードバックを提供することができる。
【００２５】
音声キューは、クリーニング対象の領域に関するボイス指示及びペース配分を提供するための一連の音声ファイルであってもよいし、スイープ期間の終了を示すメトロノーム音やシンバル音などの音を含んでもよい。音声ファイルは、モバイルアプリなどのコンピュータプログラムに読み込まれて、消毒対象のエリアでＵＶワンドをどのくらいの時間に亘って保持するかをユーザに指示する音声コーチとして機能してもよい。コンピュータプログラムは、音声ファイルを管理するために、モバイルアプリ又はその他のコンピュータプログラムを含みうる。
【００２６】
表面の消毒に必要な時間を計算するために、表面までの距離、ワンドの放射照度、表面の殺菌に必要な消毒エネルギー、ワンド長、及びワンド幅などの既知のパラメータを入力することによって、ワンドの速度が計算される。
【００２７】
図１には、本開示の一実施形態による、作業員１０１によって装着された携帯型殺菌システム１００を示す斜視図が示されている。携帯型殺菌システム１００は、バックパックアセンブリ１０４に接続されたワンドアセンブリ１０２を含み、当該バックパックアセンブリは、ハーネス１０５を介して作業員に着脱可能に固定されている。ワンドアセンブリ１０２は、ハンドル１０８に接続された殺菌ヘッド１０６を含む。少なくとも１つの実施形態において、殺菌ヘッド１０６は、カプラ１１０を介してハンドル１０８に移動可能に接続されている。
【００２８】
図１に示すように、ワンドアセンブリ１０２は、収納位置にある。ワンドアセンブリ１０２は、収納位置において、１つ以上の軌条、クリップ、ラッチ、ベルト、タイなどを介して、バックパックアセンブリ１０４の一部に着脱可能に固定されている。
【００２９】
図２には、本開示の一実施形態による、ワンドアセンブリ１０２の斜視側方上面図が示されている。殺菌ヘッド１０６は、カプラ１１０を介してハンドル１０８に接続されている。殺菌ヘッド１０６は、近位端１１６から遠位端１１８まで延びる外側カバー１１４を有するシュラウド１１２を含む。本明細書で説明するように、シュラウド１１２は、ＵＶランプを含む。
【００３０】
ポート１２０は、近位端１１６から延びている。ポート１２０は、ホース１２２に接続しており、当該ホースは、バックパックアセンブリ１０４（図１に示す）に接続している。ホース１２２は、バックパックアセンブリ１０４（図１に示す）内の電源又は給電部（例えば、１つ以上のバッテリ）を、シュラウド１１２内のＵＶランプ１４０に接続する電気コード、ケーブル、ワイヤなどを含む。任意ではあるが、電気コード、ケーブル、ワイヤなどは、ホース１２２の外側にあってもよい。ホース１２２はまた、シュラウド１１２の内部チャンバを、バックパックアセンブリ１０４内の送風機、真空発生器、エアフィルタなどに流体接続する送風ライン（例えば、エアチューブ）を含む。
【００３１】
カプラ１１０は、例えば近位端１１６の近くでシュラウド１１２の外側カバー１１４に固定されている。カプラ１１０は、１つ以上のファスナや接着剤などを介して外側カバー１１４に固定された固定ビーム１２４を含みうる。固定ビーム１２４からは、延長ビーム１２６が外方に延びており、これによって、ハンドル１０８がシュラウド１１２から離間している。延長ビーム１２６からは、ベアリングアセンブリ１２８が、固定ビーム１２４とは反対側に延びている。ベアリングアセンブリ１２８は、１つ以上のベアリングや軌条などを含み、これらによって、ハンドル１０８が、カプラ１１０に対して矢印Ａの方向に直線的に並進したり、枢動軸を中心として弧Ｂの方向に枢動したりすることができる。任意ではあるが、ハンドル１０８がベアリングアセンブリ１２８に接続されていることに加えて、或いはこの代わりに（例えば、ハンドル１０８は、カプラ１１０に固定されていてもよい）、固定ビーム１２４が、殺菌ヘッド１０６を矢印Ａの方向に並進させたり、弧Ｂの方向に回転（例えば、旋回）させたりするベアリングアセンブリを含んでもよい。
【００３２】
少なくとも１つの実施形態において、ハンドル１０８は、ロッド、ポール、ビーム、又はこれに類似した要素１３０を含んでもよく、当該要素は、シュラウド１１２よりも長くてもよい。任意ではあるが、ロッド１３０は、シュラウド１１２よりも短くてもよい。ロッド１３０には、１つ以上のグリップ１３２が固定されている。グリップ１３２は、作業員によって把持及び保持されるよう構成されている。グリップ１３２は、人間工学に基づく触覚部１３４を含みうる。
【００３３】
任意ではあるが、ワンドアセンブリ１０２のサイズ及び形状は、図示したものとは異なっていてもよい。例えば、少なくとも１つの実施形態において、ハンドル１０８は、シュラウド１１２に対して固定されてもよい。さらに、ハンドル１０８は、それ自体及び／又はシュラウド１１２に対して移動するよう構成されてもよいし、そのように構成されなくてもよい。例えば、ハンドル１０８及びシュラウド１１２は、一体成形されて、単一のユニットとして形成されてもよい。
【００３４】
少なくとも１つの実施形態において、ワンドアセンブリ１０２は、バックパックアセンブリに接続されていない。例えば、ワンドアセンブリ１０２は、１つ以上のバッテリなどの電源を有する独立型ユニットである。他の例において、ワンドアセンブリ１０２は、ケースアセンブリに接続されている。
【００３５】
図３には、図２に示すワンドアセンブリ１０２の斜視背面図が示されている。図４には、図２に示すワンドアセンブリ１０２の斜視側面図が示されている。図３及び４を参照すると、ハンドル１０８は、ベアリング１３６を介してカプラ１１０に枢動可能に接続されており、このベアリングは、ハンドル１０８とカプラ１１０とを枢動可能に接続する枢動軸１３８を有する。ハンドル１０８は、さらに、ベアリング１３６の内外に直線的に並進するよう構成されてもよい。例えば、ハンドル１０８は、内外に入れ子状に伸縮するよう構成されてもよい。任意で、或いは代替として、少なくとも１つの実施形態において、ハンドル１０８は、当該ハンドル１０８が外方に伸長したり内方に収縮したりすることを可能にする伸縮体（telescoping body）を含んでもよい。
【００３６】
図５には、本開示の一実施形態による、コンパクトに展開した状態の携帯型殺菌システム１００の斜視図が示されている。図５に示すように、バックパックアセンブリ１０４（図１に示す）からワンドアセンブリ１０２が取り外されて、コンパクトに展開した状態になる。ワンドアセンブリ１０２は、ホース１２２によってバックパックアセンブリ１０４に接続している。コンパクトに展開した状態においては、殺菌ヘッド１０６は、ハンドル１０８に対して完全に後退している。
【００３７】
図６には、本開示の一実施形態による、殺菌ヘッド１０６が伸長した状態にある携帯型殺菌システム１００の斜視図が示されている。ハンドル１０８に対して殺菌ヘッド１０６を伸長するために、殺菌ヘッド１０６が、ハンドル１０８に対して外向きに、矢印Ａ’の方向にスライドされる（或いは、ハンドル１０８が、殺菌ヘッド１０６に対して後向きにスライドされる）。上述したように、殺菌ヘッド１０６は、カプラ１１０を介して、ハンドル１０８に対して矢印Ａ’の方向に直線的に並進することができる。図６に示すように殺菌ヘッド１０６を外向きに伸長させることにより、携帯型殺菌システム１００を遠くの場所に容易に到達させることができる。これに代えて、殺菌ヘッド１０６は、ハンドル１０８に対して直線的に並進しなくてもよい。
【００３８】
図７には、本開示の一実施形態による、殺菌ヘッド１０６が伸長した状態にあって、且つハンドル１０８もまた伸長した状態にある携帯型殺菌システム１００の斜視図が示されている。さらに遠くまで到達するために、ハンドル１０８は、入れ子部などを介して直線的に並進するよう構成されており、これによって、殺菌ヘッド１０６は、さらに外側に到達することができる。これに代えて、ハンドル１０８は、伸縮するよう構成されなくてもよい。
【００３９】
少なくとも１つの実施形態において、ハンドル１０８は、ロック１０９を含んでもよい。ロック１０９は、ハンドル１０８を所望の伸長（又は、収縮）位置で固定するよう選択的に操作される。
【００４０】
図８には、本開示の一実施形態による、殺菌ヘッド１０６がハンドル１０８に対して回転している状態の携帯型殺菌システム１００の斜視図が示されている。上述したように、殺菌ヘッド１０６は、カプラ１１０を介して、ハンドル１０８に対して回転するよう構成されている。ハンドル１０８に対して殺菌ヘッド１０６を回転させることにより、殺菌ヘッド１０６を所望の位置に移動させてスイープしたり、殺菌ヘッド１０６がハンドル１０８にしっかりと固定されている場合には到達が困難な場所に到達したりすることができる。これに代えて、殺菌ヘッド１０６は、ハンドル１０８に対して回転可能でなくてもよい。
【００４１】
図９には、本開示の一実施形態による、殺菌ヘッド１０６のＵＶランプ１４０及びリフレクタ１４２の斜視端面図が示されている。ＵＶランプ１４０及びリフレクタ１４２は、殺菌ヘッド１０６のシュラウド１１２（例えば、図２に示す）内に固定されている。少なくとも１つの実施形態において、リフレクタ１４２は、１つ以上の接着剤などにより、シュラウド１１２の下面１４１に固定されている。他の例として、リフレクタ１４２は、シュラウド１１２と一体化した部品である。例えば、リフレクタ１４２は、シュラウド１１２の下面１４１であってもよいし、これを形成していてもよい。リフレクタ１４２は、ＵＶランプ１４０によって出射されたＵＶ光を外方に反射させるよう構成された反射面１４３（テフロンで形成された面や鏡面など）を形成する。少なくとも１つの例において、シュラウド１１２は、ガラス繊維で形成されたシェルを含んでもよいし、リフレクタ１４２は、９８％の反射率を有するテフロンで形成されてもよい。
【００４２】
リフレクタ１４２は、シュラウド１１２の下面１４１の全長に沿って延在していてもよい。任意ではあるが、リフレクタ１４２は、シュラウド１１２の下面１４１の全長よりも短い長さに沿って延在していてもよい。
【００４３】
ＵＶランプ１４０は、全長に沿って（或いは、端部１１６と端部１１８との間など、実質的に全長に沿って）延在していてもよい。ＵＶランプ１４０は、例えば、１つ以上のブラケットを介してリフレクタ１４２及び／又はシュラウド１１２に固定されている。ＵＶランプ１４０は、１つ以上の電球や発光素子（例えば、発光ダイオード）などの１つ以上のＵＶ発光体を含む。少なくとも１つの実施形態において、ＵＶランプ１４０は、２００ｎｍと２３０ｎｍとの間の波長などの、遠ＵＶスペクトルのＵＶ光を出射するよう構成されている。少なくとも１つの実施形態において、ＵＶランプ１４０は、２２２ｎｍの波長を有するＵＶ光を出射するよう構成されている。例えば、ＵＶランプ１４０は、２２２ｎｍの波長を有するＵＶ光を出射するよう構成された３００Ｗの電球を含んでもよい。
【００４４】
図示のように、リフレクタ１４２は、上側湾曲壁１４６を介して互いに接続されたフラットな直立側壁１４４を含む。上側湾曲壁１４６は、ＵＶランプ１４０から離れるように外側に湾曲していてもよい。例えば、上側湾曲壁１４６は、放物線状の断面及び／又は輪郭を有していてもよい。
【００４５】
直線状の側壁１４４は、ＵＶランプ１４０から出射されるＵＶ光を所望通りに反射させたり、所望の位置に集光したりすることができる。これに代えて、側壁１４４は、直線状且つフラットでなくてもよい。
【００４６】
図１０には、本開示の一実施形態による、殺菌ヘッドのＵＶランプ１４０及びリフレクタ１４２の斜視端面図が示されている。図１０に示すリフレクタ１４２は、側壁１４４が上側湾曲壁１４６から外側に傾斜していることを除けば、図９に示すリフレクタ１４２と同様である。
【００４７】
図１１には、本開示の一実施形態による、殺菌ヘッドのＵＶランプ１４０及びリフレクタ１４２の斜視端面図が示されている。本実施形態において、側壁１４４は、上側湾曲壁１４６の曲率に応じて湾曲していてもよい。
【００４８】
図１２には、殺菌ヘッド１０６の斜視上面図が示されている。図１３には、殺菌ヘッド１０６の斜視底面図が示されている。図１４には、図１２の線１４−１４を通る殺菌ヘッド１０６の軸方向断面図が示されている。図１２〜１４を参照すると、シュラウド１１２の１つ以上の開口部１５２（又は、単に開放チャンバ）を介して、殺菌ヘッド１０６内に空気１５０が引き込まれる。空気１５０は、バックパックアセンブリ１０４（図１に示す）内の真空発生器などを介して殺菌ヘッド１０６内に引き込まれる。空気１５０は、シュラウド１１２内に引き込まれて、ＵＶランプ１４０の上及び周囲を通過しながら当該ＵＶランプ１４０を冷却する。空気１５０は、ポート１２０に入り、ホース１２２内、例えば、当該ホース１２２のエアチューブ内を通過する。空気１５０により、ＵＶランプ１４０が冷却されるだけでなく、ＵＶランプ１４０の動作により生成されうるオゾンがシュラウド１１２内で除去される。空気１５０は、バックパックアセンブリ１０４内で、活性炭フィルタなどのエアフィルタに引き込まれてもよい。
【００４９】
少なくとも１つの実施形態において、携帯型殺菌システム１００はまた、代替のオゾン緩和システムを含みうる。一例として、オゾン緩和システムは、シュラウド１１２、又はシステムの他の部分に配置することができ、不活性化ガス槽、又は米国特許第１０，２３２，９５４号に開示されるような面不活性ガスシステム（face inert gas system）を含んでもよい。
【００５０】
特に、図１３を参照すると、シュラウド１１２の露出した下側周縁１５５には、バンパー１５３が固定されていてもよい。バンパー１５３は、ゴム、他のエラストマー材料、連続気泡フォーム材又は独立気泡フォーム材などの弾性材料で形成することができる。バンパー１５３は、殺菌ヘッド１０６が意図せず表面に接触した場合に、当該殺菌ヘッド１０６を損傷から保護することができる。バンパー１５３はまた、表面を損傷から保護することができる。
【００５１】
複数の開口部１５２は、ＵＶランプ１４０を直視させないように、シュラウド１１２の下面の周りに間隔をあけて配置されてもよい。例えば、開口部１５２は、ＵＶランプ１４０から離間した下側部分に配置されてもよい。
【００５２】
特に、図１４を参照すると、殺菌ヘッド１０６は、ＵＶランプ１４０の下側にカバープレート１５４を含みうる。カバープレート１５４は、例えば、ガラスで形成されてもよく、ＵＶランプ１４０によって出射されるＵＶ光をフィルタリングするよう構成されてもよい。ＵＶランプ１４０は、リフレクタ１４２とカバープレート１５４との間に形成された内部チャンバ１５６に固定されてもよい。少なくとも１つの実施形態において、カバープレート１５４は、遠ＵＶバンドパスフィルタを含みうる。例えば、カバープレート１５４は、ＵＶランプ１４０によって出射されるＵＶ光を２２２ｎｍの波長にフィルタリングする２２２ｎｍバンドパスフィルタであってもよい。このようにすると、殺菌ヘッド１０６から出射されるＵＶ光を２２２ｎｍの波長で出射することができる。
【００５３】
図１３及び１４を参照すると、周縁部１５７（厚さが０．０２０インチのチタン製周縁部など）により、カバープレート１５４をシュラウド１１２に接続することができる。周縁部１５７は、それ自体や周囲に衝撃荷重を分散させることができる。
【００５４】
少なくとも１つの実施形態において、測距発光ダイオード（ＬＥＤ）１５９（測距光源の一例）は、ＵＶランプ１４０の端部に近接して配置される。測距ＬＥＤ１５９は、例えば、殺菌対象の構造体までの所望の距離を特定するために使用することができる。少なくとも１つの実施形態において、測距ＬＥＤ１５９は、周縁部１５７及び／又はカバープレート１５４の表面や内部に設けられてもよい。
【００５５】
図１５には、本開示の一実施形態による、取付ブラケット又はクランプ１６０に固定されたＵＶランプ１４０の斜視端面図が示されている。ＵＶランプ１４０の各端部は、当該ＵＶランプ１４０をシュラウド１１２（図１２〜１４に示す）に固定する取付ブラケット又はクランプ１６０に接続されてもよい。シリコンの薄い（例えば、０．０４０インチ）シートなどの緩衝材を、ＵＶランプ１４０の端部とブラケット１６０との間に配置してもよい。任意ではあるが、ＵＶランプ１４０は、図示のものとは異なるサイズ及び形状のブラケット又はクランプを介して、シュラウド１１２に固定されてもよい。他の例として、ＵＶランプ１４０は、接着剤やファスナなどを介してシュラウド１１２に固定されてもよい。
【００５６】
図１６には、本開示の一実施形態による、バックパックアセンブリ１０４の斜視分解図が示されている。バックパックアセンブリ１０４は、後部シェル１７２、ベース１７４、及び上蓋（上壁）１７６と接続する前壁１７０を含む。前壁１７０と、後部シェル１７２と、ベース１７４と、上壁１７６との間には内部チャンバ１７８が形成されている。内部チャンバ１７８には、再充電可能なリチウム電池などの１つ以上のバッテリ１８０が収容されている。内部チャンバ１７８には、さらに空気生成サブシステム１８２も収容されている。空気生成サブシステム１８２は、ホース１２２（例えば、図２に示されている）内のエアチューブと流体連通している。空気生成サブシステム１８２は、真空発生器や送風機などの気流装置を含みうる。気流装置は、例えば、ＵＶランプを冷却するための空気流を生成したり、殺菌ヘッド１０６からバックパックアセンブリ１０４内へ空気を引き込んだり、排気管を介して空気を排出したり、生成されたオゾンをシュラウド１１２から引き抜いたり除去したりするよう構成されている。
【００５７】
バックパックアセンブリ１０４内には、カーボンフィルタなどの１つ以上のエアフィルタ１８３が配置されている。エアフィルタ１８３は、ホース１２２を介してバックパックアセンブリ１０４内に空気を送るエアチューブ又は同様の送風ダクト又は送風ラインと連通している。エアフィルタ１８３は、シュラウド１１２からバックパックアセンブリ１０４内に引き込まれる空気をフィルタリングするよう構成されている。例えば、エアフィルタ１８３は、オゾンを除去、不活性化、又は中和するよう構成されている。
【００５８】
バックパックアセンブリ１０４内のバッテリ１８０及び／又は電源供給部は、殺菌ヘッド１０６（例えば、図２に示す）のＵＶランプ１４０の動作電力を供給する。上壁１７６は、前壁１７０及び後部シェル１７２に取り外し可能に接続されてもよい。例えば、上壁１７６を取り外すことで、（バッテリの取り外し及び／又は再充電などのために）バッテリ１８０に手が届く状態となる。補給品、追加のバッテリ、追加のコンポーネントなどを保管するための追加の空間をバックパックアセンブリ１０４内に設けてもよい。少なくとも１つの実施形態において、前壁１７０、後部シェル１７２、ベース１７４、及び上壁１７６は、ガラス繊維エポキシで形成されてもよい。
【００５９】
図１７には、本開示の一実施形態による、バックパックアセンブリ１０４に接続されたハーネス１０５の斜視正面図が示されている。ハーネス１０５は、作業員がバックパックアセンブリ１０４を快適に着用するためのショルダーストラップ１９０、及び／又は、ウエスト若しくは腰用のベルト若しくはストラップ１９２を含みうる。
【００６０】
図１〜１７を参照すると、作業中、作業員は、バックパックアセンブリ１０４を着用して領域を歩行することができる。作業員は、殺菌対象の構造体が見つかると、ハンドル１０８を把持して、例えば、ハンドル１０８に対して殺菌ヘッド１０６を延出及び／又は回転させるなどして、所望通りに殺菌ヘッド１０６を配置する。次に、作業員は、例えば、ハンドル１０８に設けられた作動ボタンを押してＵＶランプ１４０を駆動し、構造体に対して殺菌ＵＶ光を出射させる。ＵＶランプ１４０が作動すると、空気１５０がシュラウド１１２内に引き込まれてＵＶランプ１４０を冷却するとともに、生成されたオゾンをバックパックアセンブリ１０４内に逸らす。逸らされたオゾンは、エアフィルタ１８３によってフィルタリングされる。
【００６１】
延出可能なワンドアセンブリ１０２により、殺菌ヘッド１０６は、民間航空機の内部キャビンにおける任意の列から、３つの乗客座席の組の全体などの遠い領域に到達することができる。
【００６２】
図１８には、紫外光スペクトルが示されている。図１〜１８を参照すると、少なくとも１つの実施形態において、殺菌ヘッド１０６は、２００ｎｍと２３０ｎｍとの間などの遠ＵＶスペクトル内の殺菌ＵＶ光を（ＵＶランプ１４０を操作して）出射するよう構成されている。少なくとも１つの実施形態において、殺菌ヘッド１０６は、２２２ｎｍの波長を有する殺菌ＵＶ光を出射する。
【００６３】
図１９には、本開示の一実施形態による、航空機２１０の斜視正面図が示されている。航空機２１０は、例えばエンジン２１４を備えた推進システム２１２を含む。任意ではあるが、推進システム２１２は、図示例よりも多い数のエンジン１４を含んでもよい。エンジン２１４は、航空機２１０の翼２１６に搭載される。他の実施形態においては、エンジン２１４は、胴体２１８及び／又は尾部２２０に搭載されてもよい。尾部２２０は、水平安定板２２２及び垂直安定板２２４を支持することもできる。
【００６４】
航空機２１０の胴体２１８は、内部キャビン２３０を画定しており、この内部キャビンは、フライトデッキ又はコックピット、１つ以上の作業セクション（例えば、ギャレーや持ち込み手荷物領域）、１つ以上の乗客セクション（例えば、ファーストクラスセクション、ビジネスクラスセクション、及びコーチセクション）、１つ以上の化粧室などを含む。内部キャビン２３０は、本明細書で説明するような１つ以上の化粧室システム、化粧室ユニット、又は化粧室を含む。
【００６５】
航空機に代えて、本開示の実施形態は、自動車、バス、機関車、列車、船舶などの様々な他のビークルと共に使用することができる。さらに、本開示の実施形態は、商業用又は住宅用の建物などの固定構造体に関して使用してもよい。
【００６６】
図２０Ａには、本開示の一実施形態による、航空機の内部キャビン２３０の上面図が示されている。内部キャビン２３０は、図１９に示す胴体２１８などの、航空機の胴体２３２の内部に設けられてもよい。例えば、内部キャビン２３０は、１つ以上の胴体壁によって画定されている。内部キャビン２３０は、前方セクション２３３、ファーストクラスセクション２３４、ビジネスクラスセクション２３６、前方ギャレーステーション２３８、拡張エコノミー又はコーチセクション２４０、標準エコノミー又はコーチセクション２４２、及び後方セクション２４４などの複数のセクションを含み、これらは、複数の化粧室及びギャレーステーションを含みうる。なお、内部キャビン２３０は、図示例よりも多い又は少ないセクションを含んでもよい。例えば、内部キャビン２３０は、ファーストクラスセクションを含まず、図示例よりも多い又は少ないギャレーステーションを含む場合もある。これらのセクションの各々は、キャビン区分けエリア２４６によって区切られており、当該エリアは、通路２４８間にクラス仕切りアセンブリを含みうる。
【００６７】
図２０Ａに示すように、内部キャビン２３０は、後方セクション２４４に繋がる２つの通路２５０及び２５２を含む。任意ではあるが、内部キャビン２３０は、図示例よりも少ない又は多い通路を含んでもよい。例えば、内部キャビン２３０は、当該内部キャビン２３０の中央を通って後方セクション２４４に繋がる単一の通路を含んでもよい。
【００６８】
通路２４８、２５０、及び２５２は、出口経路又はドア通路２６０まで延びている。出口経路２６０の両端には出口ドア２６２が配置されている。出口経路２６０は、通路２４８、２５０、及び２５２に直交していてもよい。内部キャビン２３０は、図示とは異なる複数の位置に、より多くの出口経路２６０を含んでもよい。図１〜１８を参照しつつ説明した携帯型殺菌システム１００は、乗客座席、内装設備（monuments）、荷物棚アセンブリ、化粧室におけるコンポーネント、ギャレー設備及びコンポーネントなどの、内部キャビン２３０内の様々な構造体を殺菌するために使用することができる。
【００６９】
図２０Ｂには、本開示の一実施形態による、航空機の内部キャビン２８０の上面図が示されている。内部キャビン２８０は、図１９に示す内部キャビン２３０の一例である。内部キャビン２８０は、航空機の胴体２８１の内部に設けられてもよい。例えば、内部キャビン２８０は、１つ以上の胴体壁によって画定されている。内部キャビン２８０は、乗客用の座席２８３を有するメインキャビン２８２、及び当該メインキャビン２８２の後方に位置する後方セクション２８５などの複数のセクションを含む。なお、内部キャビン２８０は、図示例よりも多い又は少ないセクションを含んでもよい。
【００７０】
内部キャビン２８０は、後方セクション２８５に繋がる単一の通路２８４を含みうる。この単一の通路２８４は、例えば、内部キャビン２８０の中央を通って後方セクション２８５に繋がる。例えば、この単一の通路２８４は、内部キャビン２８０の中央の長手面と同軸に配置されている。
【００７１】
通路２８４は、出口経路又はドア通路２９０まで延びている。出口経路２９０の両端には出口ドア２９２が配置されている。出口経路２９０は、通路２８４に直交していてもよい。内部キャビン２８０は、図示例よりも多くの出口経路を含んでもよい。図１〜１８を参照しつつ説明した携帯型殺菌システム１００は、乗客座席、内装設備、荷物棚アセンブリ、化粧室におけるコンポーネント、ギャレー設備及びコンポーネントなどの、内部キャビン２３０内の様々な構造体を殺菌するために使用することができる。
【００７２】
図２１には、本開示の一実施形態による、航空機の内部キャビン３００の斜視内観図が示されている。内部キャビン３００は、天井３０４に繋がる外側壁３０２を含む。外側壁３０２には窓３０６が形成されている。フロア３０８は、座席３１０の列を支持する。図２１に示すように、列３１２は、通路３１３の両側にそれぞれ２つの座席３１０を含みうる。なお、列３１２は、図示例より多いか、或いは少ない数の座席３１０を含んでもよい。これに加えて、内部キャビン３００は、図示例よりも多い通路を含んでもよい。
【００７３】
通路３１３の両側において、外側壁３０２と天井３０４との間には、乗客サービスユニット（ＰＳＵ）３１４が固定されている。ＰＳＵ３１４は、内部キャビン３００の前方端と後方端との間に散在している。例えば、列３１２における各座席３１０の上方に１つのＰＳＵ３１４が設けられてもよい。各ＰＳＵ３１４は、列３１２内の各座席３１０（又は、座席グループ）の上方にハウジング３１６を含み、当該ハウジングは、概して、通気口と、読書灯と、酸素バッグ投下パネルと、乗務員呼出ボタンと、他の類似した制御部とを含む。
【００７４】
頭上荷物棚アセンブリ３１８は、通路３１３の両側において、ＰＳＵ３１４の上方及び内側で天井３０４及び／又は外側壁３０２に固定されている。頭上荷物棚アセンブリ３１８は、座席３１０の上方に固定されている。頭上荷物棚アセンブリ３１８は、内部キャビン３００の前方端と後方端との間に延在している。各荷物棚アセンブリ３１８は、ストロングバック（図２１では視界から隠れている）に枢動可能に固定された枢動容器／箱３２０を含みうる。頭上荷物棚アセンブリ３１８は、ＰＳＵ３１４の下面よりも上方且つ内側に設けられてもよい。頭上荷物棚アセンブリ３１８は、例えば、乗客の手荷物及び私物を受容するために、枢動して開くよう構成されている。
【００７５】
本明細書において、「外側（outboard）」なる用語は、他のコンポーネントと比較して、内部キャビン３００の中央の長手面３２２から遠い位置を意味する。また、「内側（inboard）」なる用語は、他のコンポーネントと比較して、内部キャビン３００の中央の長手面３２２に近い位置を意味する。例えば、ＰＳＵ３１４の下面は、荷物棚アセンブリ３１８に対して外側に配置されている。
【００７６】
図１〜１８を参照しつつ説明した携帯型殺菌システム１００は、内部キャビン３００内の様々な構造体を殺菌するために使用することができる。
【００７７】
携帯型殺菌システム１００は、使用していないときには、ビークルの内部キャビンなどにおいて、クローゼット、ギャレーカートベイ、又はギャレーカート内に保管してもよい。
【００７８】
図２２には、本明細書で説明した内部キャビンなどの、ビークルの内部キャビンにおける化粧室３３０の斜視内観図が示されている。化粧室３３０は、ビークルの内部キャビンなどにおける密閉された空間、内装設備、又は部屋の一例である。上述したように、化粧室３３０は、航空機内に設けられてもよい。任意ではあるが、化粧室３３０は、様々な他のビークル内に設けられてもよい。他の実施形態において、化粧室３３０は、商業用又は住宅用の建物などの固定構造体内に配置されてもよい。化粧室３３０は、便器３３２、キャビネット３３４、及び流し台３３６又は洗面台を支持するベースフロア３３１を含む。化粧室３３０は、図示とは異なる配置であってもよい。化粧室３３０は、図示例よりも多い又は少ない数のコンポーネントを含んでもよい。図１〜１８を参照しつつ説明した携帯型殺菌システム１００は、化粧室３３０内の様々な構造体、コンポーネント、及び表面を殺菌するために使用することができる。
【００７９】
図２３には、本開示の一実施形態による、携帯式殺菌方法のフローチャートが示されている。上記方法は、紫外線（ＵＶ）ランプを含む殺菌ヘッドから、２００ｎｍと２３０ｎｍとの間の波長を有するＵＶ光を表面に出射することと（４００）、前記出射（４００）によって表面を消毒することと（４０２）、を含む。少なくとも１つの実施形態において、前記出射（４００）は、２２２ｎｍの波長を有するＵＶ光を出射することを含む。
【００８０】
少なくとも１つの実施形態において、上記携帯式殺菌方法は、前記殺菌ヘッドにハンドルを移動可能に連結することをさらに含む。例えば、前記移動可能に連結することは、前記ハンドルに対する前記殺菌ヘッドの直線的な並進又は旋回のうちの１つ又は両方を含む。
【００８１】
少なくとも１つの実施形態において、上記携帯式殺菌方法は、ホースを介して、前記殺菌ヘッドにバックパックアセンブリを連結することを含む。
【００８２】
図１〜２３を参照すると、携帯型殺菌システム１００を使用することにより、適時且つコスト効率のよい態様で、フライトデッキ及び内部キャビン内で触れる機会の多い表面を安全且つ効果的に殺菌することができる。ＵＶ消毒により、フライトの合間などに迅速且つ効果的に内部キャビンを消毒することができる。少なくとも１つの実施形態において、携帯型殺菌システム１００を使用することにより、手作業によるクリーニングの後などに、クリーニング処理を補うことができる。
【００８３】
図２４には、本開示の一実施形態による、ＵＶ光ペーシングシステム５００の概略ブロック図が示されている。ＵＶ光ペーシングシステム５００は、例えばＵＶ殺菌システム１００（図１に示す）の一部であるワンドアセンブリ１０２を含む。ワンドアセンブリ１０２は、本明細書で説明するような殺菌ヘッドを含む。殺菌ヘッドは、２２０ｎｍと２３０ｎｍとの間の波長などを有する殺菌ＵＶ光を出射するよう構成されたＵＶランプを含む。ワンドアセンブリ１０２は、ハンドルを含んでもよく、殺菌ヘッドは、当該ハンドルに対して移動可能であってもよい。任意ではあるが、ワンドアセンブリ１０２は、相対的に固定された殺菌ヘッド及びハンドルを含んでもよい。
【００８４】
ＵＶ光ペーシングシステム５００はまた、ユーザデバイス５０２を含む。少なくとも１つの実施形態において、ユーザデバイス５０２は、スマートフォンやスマートタブレットなどの携帯端末である。他の例として、ユーザデバイス５０２は、デスクトップコンピュータやラップトップコンピュータなどのコンピュータであってもよい。
【００８５】
ユーザデバイス５０２は、ユーザインターフェース５０４と、ディスプレイ５０６と、スピーカ５０８とを含み、例えば、ユーザデバイス５０２に形成又は接続されたスピーカや、有線接続又は無線接続を介してユーザデバイス５０２に接続されたヘッドフォンを含む。ユーザインターフェース５０４は、キーボードやマウスなどの入力装置を含む。ディスプレイ５０６は、モニタ又はスクリーンを含む。少なくとも１つの実施形態において、ユーザインターフェース５０４及びディスプレイ５０６は、タッチスクリーンインターフェースとして一体化されている。
【００８６】
ペーシング制御ユニット５１０は、１つ以上の有線接続又は無線接続を介するなどして、ユーザデバイス５０２と通信する。例えば、ペーシング制御ユニット５１０は、Ｂｌｕｅｔｏｏｔｈ、ＷｉＦｉ、及び／又はインターネット接続を介して、ユーザデバイス５０２と通信することができる。ペーシング制御ユニット５１０は、ユーザデバイス５０２から離隔させて設けてもよい。少なくとも１つの他の実施形態において、ユーザデバイス５０２は、ペーシング制御ユニット５１０を含みうる。例えば、ペーシング制御ユニット５１０は、ユーザデバイス５０２のハウジングに収容されてもよい。
【００８７】
ペーシング制御ユニット５１０はまた、１つ以上の有線接続又は無線接続などを介して、ペーシングデータ５１４を保存するペーシングデータベース５１２と通信する。例えば、ペーシング制御ユニット５１０は、Ｂｌｕｅｔｏｏｔｈ、ＷｉＦｉ、及び／又はインターネット接続を介して、ペーシングデータベース５１２と通信することができる。ペーシング制御ユニット５１０は、ペーシングデータベース５１２から離隔させて設けてもよい。少なくとも１つの他の実施形態において、ペーシング制御ユニット５１０は、ペーシングデータベース５１２と同じ場所に設けてもよい。例えば、ペーシング制御ユニット５１０及びペーシングデータベース５１２は、共通のコンピュータワークステーションに含まれてもよい。他の例として、ペーシング制御ユニット５１０及びペーシングデータベース５１２は、ユーザデバイス５０２に含まれてもよい。
【００８８】
ペーシングデータベース５１２は、消毒対象の１つ以上のアイテムに関するペーシングデータ５１４を保存する。消毒するために選択したアイテムに関するペーシング情報は、ペーシングデータ５１４から特定される。例えば、ペーシングデータ５１４は、消毒対象の多くのアイテムに関するペーシング情報を含む。消毒対象のアイテムは、ユーザデバイス５０２を介して選択される。ペーシング制御ユニット５１０は、選択されたアイテムについて、ペーシングデータ５１４を分析して、当該ペーシングデータ５１４に保存された当該アイテムのペーシング情報を特定する。
【００８９】
ペーシングデータ５１４は、様々なアイテム（例えば、表面やコンポーネントなど）及び／又は病原体についての紫外線（ＵＶ）消毒情報に関連した情報を含みうる。例えば、ペーシングデータ５１４は、無力化する特定の病原体に関連する、特定のアイテムに対するＵＶ消毒照射量を含む。
【００９０】
動作において、ユーザは、ユーザデバイス５０２を介してペーシング制御ユニット５１０と通信する。ユーザは、消毒対象のアイテムを選択することができる。ペーシング制御ユニット５１０は、ペーシングデータベース５１２に保存されたペーシングデータ５１４を調べることによって消毒するアイテムを分析する。次に、ペーシング制御ユニット５１０は、ユーザデバイス５０２に対して、アイテムを消毒するためのペーシング情報を含むペーシング信号５１６を出力する。ペーシング情報の少なくとも一部は、ディスプレイに表示されてもよい。ペーシング情報は、アイテムの表面までの距離と、消毒時間と、アイテムに対してワンドアセンブリ１０２をスイープ又は移動させる速度を含みうる。ペーシング情報はまた、スピーカ５０８を介して出力されるペーシング音声信号を含みうる。スピーカ５０８によって出力されるペーシング音声信号は、ユーザが、ワンドアセンブリ１０２をスイープ又は移動させるペースを同期させることを可能にする音声キューである。このように、ペーシング制御ユニット５１０によって、ユーザは、アイテムを効果的且つ効率的に消毒することができる。
【００９１】
本明細書で説明するように、ＵＶ光ペーシングシステム５００は、ＵＶ光を出射するよう構成されたＵＶランプを備えたワンドアセンブリ１０２を含む。ユーザデバイス５０２は、ユーザが、ＵＶ光で消毒するアイテムを選択することを可能にするよう構成されている。ペーシング制御ユニット５１０は、ユーザデバイス５０２と通信する。ペーシング制御ユニット５１０は、ユーザデバイス５０２にペーシング信号５１６を出力するよう構成されている。ペーシング信号５１６は、アイテムを消毒するためのワンドアセンブリ１０２の操作に関するペーシング情報を含む。例えば、ペーシング情報は、ワンドアセンブリ１０２を操作してアイテムを消毒するための指示（ディスプレイ５０６に表示される）を含む。他の例として、ペーシング情報は、アイテムの消毒処理中、ワンドアセンブリ１０２の移動のペース配分を行うための１つ以上の音声キュー（スピーカ５０８から出力される）を含む。少なくとも１つの実施形態において、ペーシング情報は、ディスプレイ５０６に表示される指示と、スピーカ５０８から出力される音声キューとを含む。
【００９２】
少なくとも１つの実施形態において、ペーシング情報を含むペーシングデータ５１４は、ペーシングデータベース５１２に保存される。ペーシング制御ユニット５１０は、保存されたペーシングデータ５１４を分析するよう構成されている。さらに、ペーシングデータ５１４は、いつでも他者と共有することができる。例えば、ペーシングデータ５１４は、ＵＶ曝露の完了したメンテナンス記録及び履歴に関連させて保存することができる。ペーシングデータ５１４を検討することにより、優先的に消毒する領域を決定してもよい。少なくとも１つの実施形態において、ペーシングデータ５１４は、ロボット又は人間によるパフォーマンスのフィードバックについてのセンサデータとともに、同時又は後に保存することができる。センサデータは、データ保存要件を低減するために基本的且つ単純なデータであってもよいし、クリーニング処理を示す動画データなどの複雑なデータであってもよい。このように、ペーシングデータ５１４は、クリーニングされた表面、当該クリーニングの効果、及びクリーニングを要する表面に関するフィードバック情報を示していてもよい。
【００９３】
本明細書において、「制御ユニット」、「中央処理ユニット」、「ＣＰＵ」、「コンピュータ」などの用語で表される要素は、プロセッサベース又はマイクロプロセッサベースのシステムを含みうる。当該システムは、マイクロコントローラ、縮小命令セットコンピュータ（ＲＩＳＣ）、特定用途向け集積回路（ＡＳＩＣ）、論理回路、及び、本明細書に記載の機能を実行可能なハードウェア、ソフトウェア、又はこれらの組み合わせを有する他の回路やプロセッサを使用するシステムを含む。これらは単なる例示であって、当該用語の定義及び／又は意味を制限するものではない。例えば、ペーシング制御ユニット５１０は、本明細書で説明するような動作を制御するよう構成された１つ以上のプロセッサを含みうる。
【００９４】
ペーシング制御ユニット５１０は、データを処理するために、１つ以上のデータ記憶ユニット又は素子（例えば、１つ以上のメモリ）に保存された一組の命令を実行するよう構成されている。例えば、ペーシング制御ユニット５１０は、１つ以上のメモリを含んでもよいし、これに接続されてもよい。データ記憶ユニットは、要望又は必要に応じてデータ又は他の情報をさらに保存していてもよい。データ記憶ユニットは、処理マシン内の情報源又は物理的なメモリ素子の形態であってもよい。
【００９５】
一組の命令は、処理マシンとしてのペーシング制御ユニット５１０に対して、本明細書に記載された構成要素の様々な実施形態における方法及び処理などの、特定の動作を行うように指示する様々なコマンドを含みうる。一組の命令は、ソフトウェアプログラムの形態であってもよい。ソフトウェアは、システムソフトウェア又はアプリケーションソフトウェアなどの様々な形態をとりうる。さらに、ソフトウェアは、個々のプログラムの集まり、より大きいプログラム内におけるプログラムの部分集合、又はプログラムの一部の形態をとりうる。ソフトウェアは、オブジェクト指向プログラミングの形態でのモジュラープログラミングをさらに含みうる。処理マシンによる入力データの処理は、ユーザコマンドに応答して行ってもよいし、前回の処理結果に応答して行ってもよいし、他の処理マシンの要求に応答して行ってもよい。
【００９６】
本明細書における実施形態の図面には、ペーシング制御ユニット５１０などの、１つ以上の制御ユニット又は処理ユニットが示されている。なお、処理ユニット又は制御ユニットは、回路、回路系（circuitry）、又はその一部を表しており、これらは、関連する命令（例えば、コンピュータハードドライブ、ＲＯＭ、ＲＡＭなどの、有形の非一時的コンピュータ可読記憶媒体に格納されたソフトウェア）を有するとともに本明細書に記載の動作を行うハードウェアとして実現することができる。ハードウェアは、本明細書に記載の機能を実行するために有線接続された（hardwired）ステートマシン回路系（state machine circuitry）を含みうる。任意ではあるが、ハードウェアは、マイクロプロセッサ、プロセッサ、コントローラなどの１つ以上のロジックベースの装置を含有、及び／又はこれに接続する電子回路を含んでもよい。任意ではあるが、ペーシング制御ユニット５１０は、例えば、フィールドプログラマブルゲートアレイ（ＦＰＧＡ）、特定用途向け集積回路（ＡＳＩＣ）、マイクロプロセッサなどのうちの１つ又は複数で構成される、処理回路系を表していてもよい。様々な実施形態における回路は、本明細書で説明する機能を実行するための１つ以上のアルゴリズムを実行するよう構成することができる。１つ以上のアルゴリズムは、フローチャートや方法に明示されているか否かに関わらず、本開示の実施形態の側面を含みうる。
【００９７】
本明細書において、「ソフトウェア」及び「ファームウェア」なる用語は、同義であり、コンピュータによる実行のためにデータ記憶ユニット（例えば、１つ以上のメモリ）に保存される任意のコンピュータプログラムを含む。このようなメモリには、ＲＡＭメモリ、ＲＯＭメモリ、ＥＰＲＯＭメモリ、ＥＥＰＲＯＭメモリ、及び不揮発性ＲＡＭ（ＮＶＲＡＭ）メモリが含まれる。上記したデータ記憶ユニットの種類は、単なる例示であり、コンピュータプログラムの格納に使用可能なメモリの種類を限定するものではない。
【００９８】
図２５には、本開示の一実施形態による、ユーザデバイス５０２の正面図が示されている。図示のように、ユーザデバイス５０２は、ユーザインターフェース５０４及びディスプレイ５０８を一体化したタッチスクリーンインターフェース５２０を含む携帯型スマートデバイス（例えば、スマートフォンやスマートタブレット）である。
【００９９】
図２４及び２５を参照すると、ペーシング制御ユニット５１０は、ユーザデバイス５０２にペーシングメニュー画面５２２を表示する。ペーシングメニュー画面５２２により、ユーザは、特定のペーシングモードを選択することができる。例えば、ペーシングメニュー画面５２２は、特定種類の航空機のキャビン用などの第１トレーニングオプション５２４、及び当該キャビンのための消毒ペーシングオプション５２６を表示する。ペーシングメニュー画面５２２はまた、航空機内の異なる領域用などの第２トレーニングオプション５２８、及び当該領域のための消毒ペーシングオプション５３０を表示することができる。
【０１００】
ペーシング制御ユニット５１０は、トレーニングオプション及び消毒ペーシングオプションを提供する。これらは、ワンドアセンブリ１０２によって出射される消毒ＵＶ光を航空機内の領域に照射するのに適した時間を知らせる音声キューをユーザに与えるためのものである。このようにして、ユーザは、ｍＪ／ｃｍ2の単位でＵＶ光の正確な消毒照射量を確保するために、スピーカ５０８を介してペーシング制御ユニット５１０から出力される音声信号などによって、消毒中にワンドアセンブリ１０２の移動のペース配分を行うことができる。
【０１０１】
ペーシング制御ユニット５１０によってユーザデバイスに出力されるペーシング信号５１６に含まれる（また、ディスプレイ５０６に表示、及び／又はスピーカ５０８を介して出力される）ペーシング情報は、消毒対象の表面に対するワンドアセンブリ１０２の距離と、表面に対するＵＶ照射の時間と、ワンドアセンブリ１０２のスイープ速度（例えば、表面に対してワンドアセンブリ１０２を前後にスイープする速度）と、を含む。少なくとも１つの実施形態において、スイープ速度は、スピーカ５０８を介して出力される音声信号によってガイドされる。
【０１０２】
トレーニングオプションは、ワンドアセンブリ１０２をスイープ又は移動させる速度についての音声ファイルと、効果的且つ効率的にアイテムを殺菌するための詳細な指示とを含みうる。ユーザは、このような音声ファイルを聴くことにより、特定のアイテムに対するワンドアセンブリ１０２の適切なスイープ速度を知ることができる。消毒ペーシングオプションは、詳細な指示なしに、ワンドアセンブリ１０２のスイープ又は移動の速度についての音声ファイルを含んでもよい。
【０１０３】
図２６には、本開示の一実施形態による、フライトデッキ５３２内の制御装置５３１に対するワンドアセンブリ１０２の斜視図が示されている。制御装置５３１は、ＵＶ光によって消毒されるアイテムの一例である。他の例としては、座席、荷物棚アセンブリ、壁、天井、ギャレーカート、カウンター、キャビネット、トイレ、流し台、フロアなどが挙げられる。ワンドアセンブリ１０２は、制御装置５３１から、ペーシング情報に示される特定の距離をあけて配置されており、制御装置５３１に対して矢印Ａの方向などの様々な方向にスイープされる。
【０１０４】
図２４〜２６を参照すると、ユーザは、ユーザデバイス５０２を介して、消毒対象のアイテムを選択する。ペーシング制御ユニット５１０は、選択されたアイテムに関するペーシングデータ５１４を、ペーシングデータベース５１２から取得する。次に、ペーシング制御ユニット５１０は、アイテム（例えば、制御装置５３１）についてのペーシング情報を含むペーシング信号５１６を、ユーザデバイス５０２に対して出力する。ディスプレイ５０６に表示、及び／又はスピーカ５０８を介して出力されるペーシング情報は、ユーザが、アイテムに対してワンドアセンブリ１０２をスイープして、当該アイテムを効果的且つ効率的に殺菌及び消毒することを補助するものである。
【０１０５】
図２７は、本開示の一実施形態による、ペーシング情報５４２のスプレッドシート５４０を示す。ペーシング制御ユニット５１０によってユーザデバイス５０２に出力されるペーシング信号５１６（図２４に示す）は、ペーシング情報５４２を含む。図２７に示すペーシング情報５４２は、例示的なものにすぎない。
【０１０６】
ペーシング情報５４２は、ワンド移動速度５４６を含む。図２４及び２７を参照すると、ペーシング制御ユニット５１０は、ワンド移動速度５４６に示すように、消毒に適したペースに設定された音声信号（例えば、繰り返しのビート）を出力することができる。スピーカ５０８を介して出力されるような音声信号により、ユーザは、ワンドアセンブリ１０２を適切なペースで移動させて、アイテムの消毒を効果的に実行することができる。
【０１０７】
図２４〜２７を参照すると、ユーザデバイス５０２は、メモリに保存された、表面の消毒に関するアプリケーション（「アプリ」）を含みうる。このアプリは、ディスプレイ５０６に表示することができる。本明細書で説明するように、ペーシング制御ユニット５１０は、アプリを操作してもよい。アプリは、選択された消毒対象のアイテムについての音声ファイルを出力することができる。
【０１０８】
一例として、ペーシング制御ユニット５２０は、フライトデッキにおける中央飛行制御コンソール（center flight control console）についての指示及びペース配分を含むペーシング信号５１６を出力する。ペーシング信号５１６は、ユーザデバイス５０２により受信される。ペーシング信号５１６は、ワンドアセンブリ１０２をスイープ又は移動させるためのガイダンスをユーザに提供する音声ファイルを含む。総スイープ時間は、中央コンソールを効果的且つ効率的に消毒するために、中央コンソールの全体に特定の線量を供給することを意図した時間である。例えば、指示は、「中央コンソールの最後部から始めて、一定のペースで前方へスイープし、当該コンソールの前方端に到達するまでに１０秒かける」ことを（テキスト又は音声信号で）示すことができる。次に、指示は、音声出力により「開始：１０、９、８、７、６、５、４、３、２、１。コンソールの終わり。」と示すことにより、カウントダウンを行ってもよい。次に、指示は、「ワンドを右座席のアームレストに移動させ…」と示してもよい。メトロノームタイプのビートを１秒ごとに再生し、スイープ期間の終わりにシンバルを叩く効果音や他の適切な音を鳴らしてもよい。
【０１０９】
引き続き図２４〜２７を参照すると、本開示のいくつかの実施形態においては、所定表面のＵＶ消毒のペース配分を行う方法が提供される。この方法は、ワンド速度を計算することを含む。ワンド速度は、ユーザが、ユーザデバイスを介して消毒対象のアイテムを選択し、ペーシング制御ユニット５１０が、選択されたアイテムに関するペーシングデータ５１４を、ペーシングデータベース５１２から取得することにより計算される。ペーシングデータ５１４は、ワンド速度を含む。ペーシング制御ユニット５１２によって出力されるペーシングデータ５１４は、ワンドアセンブリ１０２を移動させる速度に関する（スピーカ５０８を介して出力される）音声キューを提供し、さらに、ユーザがこの速度を維持できるように、フィードバック（例えば、スイープ時間についての音声指示）を提供してもよい。
【０１１０】
少なくとも１つの実施形態において、音声キューは、クリーニング対象の領域についてのボイス指示及びペース配分を提供する一連の音声ファイルを含んでもよいし、スイープ期間の終わりを知らせるメトロノーム音やシンバル音などのトーンを含んでもよい。音声ファイルは、モバイルアプリなどのコンピュータプログラムに読み込まれて、クリーニング対象の領域を消毒するために当該領域上でＵＶワンドを保持する時間をユーザに指示するための音声コーチとして機能してもよい。コンピュータプログラムは、音声ファイルを管理するためのモバイルアプリ又は他のコンピュータプログラムを含みうる。
【０１１１】
少なくとも１つの実施形態において、表面の消毒に必要な時間を計算するために、表面までの距離、ワンドの放射照度、表面の殺菌に必要な消毒エネルギー、ワンド長、及びワンド幅などの既知のパラメータを入力することによって、ワンドの速度が計算される。
【０１１２】
図２８は、本開示の一実施形態による、ＵＶペーシング方法のフローチャートを示す。図２４及び２８を参照すると、６００において、作業員は、ユーザデバイス５０４において、ＵＶ光で消毒するアイテムを選択する。６０２において、ペーシング制御ユニット５１０は、ペーシングデータベース５１２から、消毒対象のアイテムに関するペーシングデータ５１４を取得する。６０４において、ペーシング制御ユニット５１０は、ユーザデバイス５０２に対して、消毒対象のアイテムに関するペーシング情報と１つ以上の音声キューとを含むペーシング信号５１６を出力する。６０６において、ユーザデバイス５０２は、ユーザが、ワンドアセンブリ１０２を移動させて、アイテムを効果的且つ効率的に消毒するのを支援するために、ペーシング情報の表示、及び／又は１つ以上の音声キューの出力を行う。
【０１１３】
本明細書で説明するように、本開示の実施形態においては、例えば、ビークルの内部キャビンなどにおける表面、コンポーネント、構造体などを効率的に殺菌するためのシステム及び方法が提供される。さらに、本開示の実施形態においては、ＵＶ光を使用して内部キャビンにおける表面を殺菌するための小型で使い易く安全なシステム及び方法が提供される。
【０１１４】
さらに、本開示は、以下の付記による実施形態を含む。
【０１１５】
付記１．紫外（ＵＶ）光を出射するよう構成されたＵＶランプを備えるワンドアセンブリと、
前記ＵＶ光で消毒するアイテムをユーザが選択できるよう構成されたユーザデバイスと、
前記ユーザデバイスと通信するペーシング制御ユニットと、を含み、前記ペーシング制御ユニットは、前記ユーザデバイスにペーシング信号を出力するよう構成されており、前記ペーシング信号は、前記アイテムを消毒するための前記ワンドアセンブリの操作に関するペーシング情報を含む、ＵＶ光ペーシングシステム。
【０１１６】
付記２．前記ペーシング情報は、前記アイテムを消毒するための前記ワンドアセンブリの操作についての指示を含み、前記指示は、前記ユーザデバイスのディスプレイに表示される、付記１に記載のＵＶ光ペーシングシステム。
【０１１７】
付記３．前記ペーシング情報は、前記アイテムの消毒処理中、前記ワンドアセンブリの移動のペース配分を行うための１つ以上の音声キューを含み、前記１つ以上の音声キューは、前記ユーザデバイスのスピーカによって出力される、付記１又は２に記載のＵＶ光ペーシングシステム。
【０１１８】
付記４．前記ユーザデバイスは、携帯型デバイスである、付記１〜３のいずれかに記載のＵＶ光ペーシングシステム。
【０１１９】
付記５．前記ユーザデバイスは、前記ペーシング制御ユニットを含む、付記１〜４のいずれかに記載のＵＶ光ペーシングシステム。
【０１２０】
付記６．前記アイテムに関するペーシングデータを保存するペーシングデータベースをさらに含み、前記ペーシング制御ユニットは、前記ペーシングデータベースと通信し、前記ペーシング制御ユニットは、前記ペーシングデータから前記ペーシング情報を特定するよう構成されている、付記１〜５のいずれかに記載のＵＶ光ペーシングシステム。
【０１２１】
付記７．前記ユーザデバイスは、前記ペーシングデータベースを含む、付記１〜６のいずれかに記載のＵＶ光ペーシングシステム。
【０１２２】
付記８．前記ユーザデバイスはディスプレイを含み、前記ペーシング制御ユニットは、前記ディスプレイにペーシングメニュー画面を表示するよう構成されている、付記１〜７のいずれかに記載のＵＶ光ペーシングシステム。
【０１２３】
付記９．前記ペーシングメニュー画面は、１つ以上のトレーニングオプションを含む、付記８に記載のＵＶ光ペーシングシステム。
【０１２４】
付記１０．前記ペーシング情報は、ワンド移動速度を含む、付記１〜９のいずれかに記載のＵＶ光ペーシングシステム。
【０１２５】
付記１１．前記アイテムは、乗客座席、内装設備、荷物棚アセンブリ、化粧室におけるコンポーネント、ギャレー内のコンポーネント、又はフライトデッキ内のコンポーネントを含む、付記１〜１０のいずれかに記載のＵＶ光ペーシングシステム。
【０１２６】
付記１２．前記ＵＶランプは、２００ｎｍと２３０ｎｍとの間の波長を有するＵＶ光を出射するよう構成されている、付記１〜１１のいずれかに記載のＵＶ光ペーシングシステム。
【０１２７】
付記１３．前記ＵＶランプは、２２２ｎｍの波長を有するＵＶ光を出射するよう構成されている、付記１〜１１のいずれかに記載のＵＶ光ペーシングシステム。
【０１２８】
付記１４．前記ＵＶランプは、２３０ｎｍ〜２８０ｎｍの波長を有するＵＶ光を出射するよう構成されている、付記１〜１１のいずれかに記載のＵＶ光ペーシングシステム。
【０１２９】
付記１５．前記ＵＶランプは、２５４ｎｍの波長を有するＵＶ光を出射するよう構成されている、付記１〜１１のいずれかに記載のＵＶ光ペーシングシステム。
【０１３０】
付記１６．紫外（ＵＶ）光を出射するためのＵＶランプを備えるワンドアセンブリを使用することと、
ユーザデバイスによって、前記ＵＶ光で消毒するアイテムを選択することと、
前記ユーザデバイスと通信するペーシング制御ユニットから、前記ユーザデバイスに対してペーシング信号を出力することと、を含み、前記ペーシング信号は、前記アイテムを消毒するための前記ワンドアセンブリの操作に関するペーシング情報を含む、ＵＶ光ペーシング方法。
【０１３１】
付記１７．前記ペーシング情報は、前記アイテムを消毒するための前記ワンドアセンブリの操作についての指示を含み、前記方法は、前記ユーザデバイスのディスプレイに前記指示を表示することをさらに含む、付記１６に記載のＵＶ光ペーシング方法。
【０１３２】
付記１８．前記ペーシング情報は、前記アイテムの消毒処理中、前記ワンドアセンブリの移動のペース配分を行うための１つ以上の音声キューを含み、前記方法は、前記ユーザデバイスのスピーカによって前記１つ以上の音声キューを出力することをさらに含む、付記１６又は１７に記載のＵＶ光ペーシング方法。
【０１３３】
付記１９．ペーシングデータベースに、前記アイテムに関するペーシングデータを保存することと、
前記ペーシング制御ユニットと前記ペーシングデータベースとを通信可能に接続することと、
前記ペーシング制御ユニットによって、前記ペーシングデータから前記ペーシング情報を特定することと、をさらに含む、付記１６〜１８のいずれかに記載のＵＶ光ペーシング方法。
【０１３４】
付記２０．前記ペーシング制御ユニットによって、前記ディスプレイにペーシングメニュー画面を表示することをさらに含む、付記１６〜１９のいずれかに記載のＵＶ光ペーシング方法。
【０１３５】
付記２１．前記表示は、１つ以上のトレーニングオプションを表示することを含む、付記２０に記載のＵＶ光ペーシング方法。
【０１３６】
付記２２．前記使用は、前記ＵＶランプを操作して、２００ｎｍと２３０ｎｍとの間の波長を有するＵＶ光を出射することを含む、付記１６〜２１のいずれかに記載のＵＶ光ペーシング方法。
【０１３７】
付記２３．前記使用は、前記ＵＶランプを操作して、２２２ｎｍの波長を有するＵＶ光を出射することを含む、付記１６〜２１のいずれかに記載のＵＶ光ペーシング方法。
【０１３８】
付記２４．前記使用は、前記ＵＶランプを操作して、２３０ｎｍと２８０ｎｍとの間の波長を有するＵＶ光を出射することを含む、付記１６〜２１のいずれかに記載のＵＶ光ペーシング方法。
【０１３９】
付記２５．前記使用は、前記ＵＶランプを操作して、２５４ｎｍの波長を有するＵＶ光を出射することを含む、付記１６〜２１のいずれかに記載のＵＶ光ペーシング方法。
【０１４０】
付記２６．紫外（ＵＶ）光を出射するよう構成されたＵＶランプを備えるワンドアセンブリと、
前記ＵＶ光で消毒するアイテムをユーザが選択できるよう構成されるとともに、ディスプレイ及びスピーカを備えるユーザデバイスと、
前記アイテムに関するペーシングデータを格納するペーシングデータベースと、
前記ユーザデバイス及び前記ペーシングデータベースと通信するペーシング制御ユニットと、を含み、前記ペーシング制御ユニットは、前記ペーシングデータから前記ペーシング情報を特定するよう構成されており、前記ペーシング制御ユニットは、前記ユーザデバイスにペーシング信号を出力するよう構成されており、前記ペーシング信号は、前記アイテムを消毒するための前記ワンドアセンブリの操作に関するペーシング情報を含み、前記ペーシング情報は、
前記ワンドアセンブリを操作して前記アイテムを消毒するために、前記ユーザデバイスの前記ディスプレイに表示される指示と、
前記アイテムの消毒処理中、前記ワンドアセンブリの移動のペース配分を行うための１つ以上の音声キューと、を含み、前記１つ以上の音声キューは、前記ユーザデバイスの前記スピーカによって出力される、ＵＶ光ペーシングシステム。
【０１４１】
本開示の実施形態を説明するために、上、底、下、中央、側方、水平、垂直、前などの様々な空間及び方角に関する用語を用いたが、これらの用語は図面に示した向きについて用いたに過ぎない。これらの向きは、逆転、回転、又は他の方法で変更することができ、その場合には、上部が下部となったり、その逆となったり、或いは水平方向が垂直方向になったりする。
【０１４２】
本明細書において、ある処理や動作を実行する「ように構成された」構造、限定事項、又は要素は、当該処理や動作に対応するように具体的に構造的な形成、構成、又は適合化がなされたものである。明瞭化のため、また疑義を避けるために付言すると、当該処理や動作を実行するように単に改変することができるに過ぎないものは、ここでいう、処理や動作を実行するように「構成された」ものには該当しない。
【０１４３】
なお、上述した説明は、例示的なものであり、限定を意図するものではない。例えば、上述の実施形態（及び／又はその側面）は、互いに組み合わせて用いることができる。加えて、本開示の様々な実施形態の範囲を逸脱することなく、これらの教示に特定の状況や材料を適合させる多くの変形が可能である。本明細書で説明した材料の寸法や種類は、本開示の様々な実施形態におけるパラメータを明確にするためのものであり、これらの実施形態は、限定を課すものではなく、例示的な実施形態に過ぎない。上述の説明を検討すれば、当業者には他の多くの実施形態が明らかであろう。したがって、本開示の様々な実施形態の範囲は、添付の請求の範囲を参照するとともに、これら請求の範囲に認められる均等物の全範囲も併せて参照して決定されるべきである。本明細書における添付の請求の範囲、及び詳細な説明において用いられる「含む」及び「であって」などの用語は、それぞれ、「備える」及び「において」などと意味を同じくする平易な英語表現として用いられている。また、「第１」、「第２」、「第３」などの用語は、単なる区別のための標識として用いられており、これらにより言及される対象に数的な要件を課すものではない。
【０１４４】
本明細書の記載は、例を用いてベストモードを含む様々な実施形態を開示するものであり、また、任意の装置又はシステムの作製及び使用、並びに組み入れられた方法の実行を含む本開示の様々な実施形態を当業者にとって実施可能にするものである。本開示の様々な実施形態についての特許可能な範囲は、特許請求の範囲によって規定されるものであり、当業者が想定しうる他の例を含み得る。そのような他の例は、それらが、請求の範囲の文言と相違のない構成要素を有する場合、又は請求の範囲の文言に対して非本質的な相違を有するだけの均等の構成要素を含む場合、特許請求の範囲に包含されると考えられるべきである。
【図１】
2022001251.tif 000003
【図２】
2022001251.tif 000004
【図３】
2022001251.tif 000005
【図４】
2022001251.tif 000006
【図５】
2022001251.tif 000007
【図６】
2022001251.tif 000008
【図７】
2022001251.tif 000009
【図８】
2022001251.tif 000010
【図９】
2022001251.tif 000011
【図１０】
2022001251.tif 000012
【図１１】
2022001251.tif 000013
【図１２】
2022001251.tif 000014
【図１３】
2022001251.tif 000015
【図１４】
2022001251.tif 000016
【図１５】
2022001251.tif 000017
【図１６】
2022001251.tif 000018
【図１７】
2022001251.tif 000019
【図１８】
2022001251.tif 000020
【図１９】
2022001251.tif 000021
【図２０Ａ】
2022001251.tif 000022
【図２０Ｂ】
2022001251.tif 000023
【図２１】
2022001251.tif 000024
【図２２】
2022001251.tif 000025
【図２３】
2022001251.tif 000026
【図２４】
2022001251.tif 000027
【図２５】
2022001251.tif 000028
【図２６】
2022001251.tif 000029
【図２７】
2022001251.tif 000030
【図２８】
2022001251.tif 000031
【外国語明細書】
2022001251000001.pdf
2022001251000002.pdf
2022001251000003.pdf
2022001251000004.pdf